(57)【特許請求の範囲】
【請求項１】
像担持体上の潜像を黒色のトナーを用いて現像する黒色現像装置と、
像担持体上の潜像をカラーのトナーを用いて現像する少なくとも１つのカラー現像装置と、
前記黒色現像装置と前記カラー現像装置のそれぞれに対応した色のトナーを各現像装置に補給する複数のトナー補給機を備え、
該複数のトナー補給機を、前記黒色現像装置と前記カラー現像装置の上方に配し、上方から前記黒色現像装置と前記カラー現像装置のそれぞれに対応したトナー搬送パイプを介して各色のトナーを補給する画像形成装置において、
前記黒色現像装置を、前記像担持体からトナー像を転写紙へ２次転写を行う部位側に配置し、
前記カラー現像装置を、前記黒色現像装置よりも前記２次転写を行う部位から離して配置し、
前記黒色現像装置に用いるトナー補給機を、前記カラー現像装置に用いるトナー補給機よりも前記２次転写を行う部位から離して配置し、
前記黒色現像装置に用いるトナー補給機と前記黒色現像装置へトナーを補給するトナー搬送パイプとを、前記カラー現像装置の下側を通した黒色トナー搬送用のパイプを介して連結して前記黒色現像装置へトナーを供給可能とし、
前記黒色現像装置に用いるトナー補給機をポンプ方式のものとし、
前記カラー現像装置に用いるトナー補給機を搬送コイル方式又は搬送スクリュ方式のものとしたことを特徴とする画像形成装置。
【請求項２】
像担持体及び像担持体に作用する帯電手段、現像手段、クリーニング手段より選ばれる少なくとも１つの手段を一体に設けた黒色用のプロセスカートリッジと、
像担持体及び像担持体に作用する帯電手段、現像手段、クリーニング手段より選ばれる少なくとも１つの手段を一体に設けた少なくとも１つのカラー用のプロセスカートリッジと、
前記黒色用のプロセスカートリッジと前記カラー用のプロセスカートリッジのそれぞれに対応した色のトナーを各々に補給する複数のトナー補給機を備え、
該複数のトナー補給機を、前記黒色用のプロセスカートリッジと前記カラー用のプロセスカートリッジの上方に配し、上方から前記黒色現像装置と前記カラー現像装置のそれぞれに対応したトナー搬送パイプを介して各色のトナーを補給する画像形成装置において、
前記黒色用のプロセスカートリッジを、前記像担持体からトナー像を転写紙へ２次転写を行う部位側に配置し、
前記カラー用のプロセスカートリッジを、前記黒色用のプロセスカートリッジよりも前記２次転写を行う部位から離して配置し、
前記黒色用のプロセスカートリッジに用いるトナー補給機を、前記カラー用のプロセスカートリッジに用いるトナー補給機よりも前記２次転写を行う部位から離して配置し、
前記黒色用のプロセスカートリッジに用いるトナー補給機と前記黒色用のプロセスカートリッジへトナーを補給するトナー搬送パイプとを、前記カラー用のプロセスカートリッジの下側を通した黒色トナー搬送用のパイプを介して連結して前記黒色用のプロセスカートリッジへトナーを供給可能とし、
前記黒色用のプロセスカートリッジに用いるトナー補給機をポンプ方式とし、
前記カラー用のプロセスカートリッジに用いるトナー補給機を搬送コイル方式又は搬送スクリュ方式のものとしたことを特徴とする画像形成装置。
【発明の詳細な説明】
【技術分野】
【０００１】
本発明は、画像形成装置に係り、特に複数の現像装置又はプロセスカートリッジのそれぞれにトナーを補給する複数のトナー補給機を備えた画像形成装置に関する。
【背景技術】
【０００２】
一般に、画像形成システムの１つに、電子写真複写方式があり、この方式を用いた装置としては、複写機やプリンタあるいはファクシミリ装置等の画像形成装置がある。
【０００３】
電子写真複写方式は、一様帯電された像担持体をなす感光体上に露光あるいは光書き込み等によって静電潜像を形成し、この静電潜像を、例えば磁性キャリアとトナーとを混合した二成分系現像剤のトナーあるいは両者を一体化した一成分系現像剤により可視像処理した画像を記録紙等に転写して複写物を得るようになっている。
【０００４】
可視像処理に用いられる現像剤は、可視像処理が継続されることによって消費量が増え、供給される際の濃度が低下してくる。上記した現像剤のうち、二成分系現像剤の場合には、トナーの量が経時的に減少し、現像剤中でのトナー濃度が低下し、希望する画像濃度が得られなくなる。
【０００５】
そこで、画像濃度の低下を抑えるために、現像剤中でのトナー濃度が所定値以下になると、トナーを補給して現像剤中でのトナー濃度を安定した状態に維持することが行われている。このため、粉体であるトナーを補給する粉体搬送装置が配置される。そして、このような粉体搬送装置は、画像形世相値の小型化の要請にともない他の装置のレイアウトに影響を与えることがないようにすることが望まれている。
【０００６】
特許文献１には、粉体搬送管内に収容され、その運動によって搬送方向下流側へ移動する移動力を粉体に付与し、粉体を搬送する粉体搬送用部材を設け、粉体搬送管内の少なくとも一部に、粉体搬送管内における粉体搬送用部材の他の部分より、管内粉体通過規制能力が高い部分を設ける粉体搬送装置が記載されている。
【０００７】
特許文献２には、トナー搬送路と、前記トナー搬送路内に回転自在に配置されたトナー搬送スクリュと、前記トナー搬送路に設けられたトナー補給口とを具備するトナー補給装置であって、前記トナー搬送スクリュはその外周端を前記トナー補給口のトナー搬送方向上流側端部と略一致するように配置され、且つ１回のトナー補給動作時間内に整数回転するようにしたトナー補給装置が記載されている。
【０００８】
また、粉体搬送装置として、回転することにより粉体を軸方向に移動させるロータを包み込む通路を内部に有し、且つ、ロータと通路内部で複数ピッチからなる螺旋溝で接触係合させて樹脂などで成型されたハウジングに固定されたステータとを有する粉体移送ポンプは公知である（特許文献３）。
【０００９】
また、特許文献３には、電子写真方式における乾式１成分又は乾式２成分のトナーを用いた複写機、ファクシミリ装置、プリンタあるいはこれらの複合機等の画像形成装置の現像手段から離れた任意の位置にトナー貯留手段やトナー供給手段等をそれぞれ配置し、回転することにより粉体のトナーを軸方向に移動させるロータを包み込む通路を内部に有し、且つ、ロータと通路内部で接触係合させて固定されたステータとを有する粉体移送ポンプにより、新規トナーを空気との混合気として移送して、新規トナーと空気からなる混合気を搬送手段の弾性体からなる管内を搬送するものが記載されている。
【００１０】
新規トナーの補給のみならず、このような粉体移送ポンプは、通称モーノポンプともいわれる。特許文献４には、トナー搬送装置の小型化と省スペース化、垂直の上下方向にもトナーを搬送できるという利点を活用して、ユニットレイアウト自由度の向上、組立性、メンテナンス性向上、低コストを実現でき、新規トナーの搬送に使用されるだけでなく、同様にクリーニング手段で回収された回収トナーを現像手段に戻して再使用する再使用トナー分級装置の回収トナー又は再使用トナー等の搬送に使用することが記載されている。
【００１１】
このように、トナー補給装置としては色々な方式のものが公知である。即ち、トナー補給装置としては、コイルを利用した搬送コイル方式のものや、ポンプを利用した粉体ポンプ方式のものがある。これらは、それぞれに以下の特徴があり、目的に応じて使い分けられている。
【００１２】
まず、搬送コイル方式は、機構が単純、小型、低コストというメリットがあるが、細かな制御が困難である、レイアウトに制約がある（スクリュよりは自由度がある）というデメリットがある。
また、搬送スクリュ方式は、機構が単純、小型、低コストというメリットがあるが、細かな制御が困難（コイルよりは容易）、レイアウトに制約があるというデメリットがある。
そして、粉体ポンプ方式は、細かな制御が可能、レイアウトが自由であるというメリットがあるが、機構が複雑、装置がやや大きい、高コストであるというデメリットがある。
【００１３】
このような特性により、搬送コイル及びスクリュ方式は低コストを狙った低速機側で多く採用され、また粉体ポンプ方式はコストが高めでも高機能、高性能を狙った高速機側で多く採用されていた。
【特許文献１】特開２００５−０２４６６５公報
【特許文献２】特開２００５−９９５９３公報
【特許文献３】米国特許第２５０５１３６公報
【特許文献４】特開平１０−２６０５８３号公報
【発明の開示】
【発明が解決しようとする課題】
【００１４】
ところで、近年、機械に対し機能を落とさずに小型、軽量、低コスト等の様々な要望が挙げられている。特にカラー機などは最たるものである。しかし、カラー画像を出力するために設けられた複数の現像装置に対して、各々に対応するトナー補給装置を全て同じ方式とすると小型、軽量、低コスト等に対応するには限界があった。
【００１５】
本発明は上記問題に鑑みなされたものであり、必要な機能は満足しつつ、小型、軽量、低コストを達成できるトナー補給装置及び画像形成装置を低供することを目的とする。
【課題を解決するための手段】
【００１６】
請求項１の発明は、
像担持体上の潜像を黒色のトナーを用いて現像する黒色現像装置と、
像担持体上の潜像をカラーのトナーを用いて現像する少なくとも１つのカラー現像装置と、前記黒色現像装置と前記カラー現像装置のそれぞれに対応した色のトナーを各現像装置に補給する複数のトナー補給機を備え、該複数のトナー補給機を、前記黒色現像装置と前記カラー現像装置の上方に配し、上方から前記黒色現像装置と前記カラー現像装置のそれぞれに対応したトナー搬送パイプを介して各色のトナーを補給する画像形成装置において、前記黒色現像装置を、前記像担持体からトナー像を転写紙へ２次転写を行う部位側に配置し、前記カラー現像装置を、前記黒色現像装置よりも前記２次転写を行う部位から離して配置し、前記黒色現像装置に用いるトナー補給機を、前記カラー現像装置に用いるトナー補給機よりも前記２次転写を行う部位から離して配置し、前記黒色現像装置に用いるトナー補給機と前記黒色現像装置へトナーを補給するトナー搬送パイプとを、前記カラー現像装置の下側を通した黒色トナー搬送用のパイプを介して連結して前記黒色現像装置へトナーを供給可能とし、前記黒色現像装置に用いるトナー補給機をポンプ方式のものとし、前記カラー現像装置に用いるトナー補給機を搬送コイル方式又は搬送スクリュ方式のものとしたことを特徴とする画像形成装置である。
【００１７】
請求項２の発明は、像担持体及び像担持体に作用する帯電手段、現像手段、クリーニング手段より選ばれる少なくとも１つの手段を一体に設けた黒色用のプロセスカートリッジと、像担持体及び像担持体に作用する帯電手段、現像手段、クリーニング手段より選ばれる少なくとも１つの手段を一体に設けた少なくとも１つのカラー用のプロセスカートリッジと、前記黒色用のプロセスカートリッジと前記カラー用のプロセスカートリッジのそれぞれに対応した色のトナーを各々に補給する複数のトナー補給機を備え、該複数のトナー補給機を、前記黒色用のプロセスカートリッジと前記カラー用のプロセスカートリッジの上方に配し、上方から前記黒色現像装置と前記カラー現像装置のそれぞれに対応したトナー搬送パイプを介して各色のトナーを補給する画像形成装置において、前記黒色用のプロセスカートリッジを、前記像担持体からトナー像を転写紙へ２次転写を行う部位側に配置し、前記カラー用のプロセスカートリッジを、前記黒色用のプロセスカートリッジよりも前記２次転写を行う部位から離して配置し、前記黒色用のプロセスカートリッジに用いるトナー補給機を、前記カラー用のプロセスカートリッジに用いるトナー補給機よりも前記２次転写を行う部位から離して配置し、前記黒色用のプロセスカートリッジに用いるトナー補給機と前記黒色用のプロセスカートリッジへトナーを補給するトナー搬送パイプとを、前記カラー用のプロセスカートリッジの下側を通した黒色トナー搬送用のパイプを介して連結して前記黒色用のプロセスカートリッジへトナーを供給可能とし、前記黒色用のプロセスカートリッジに用いるトナー補給機をポンプ方式とし、前記カラー用のプロセスカートリッジに用いるトナー補給機を搬送コイル方式又は搬送スクリュ方式のものとしたことを特徴とする画像形成装置である。
【発明の効果】
【００２６】
本発明に係る画像形成装置は、必要な機能は満足しつつ、小型化、軽量化、低コスト化を図ることができる。
【発明を実施するための最良の形態】
【００２７】
以下本発明を実施するための最良の形態としての実施例を図面に基づいて説明する。
【実施例】
【００２８】
以下、本発明を適用した画像形成装置の実施形態の一例として、電子写真方式のプリンタ（以下、単にプリンタという）について説明する。なお、作像部に関してはプロセスカートリッジを使用した場合について説明する。まず、本プリンタの基本的な構成について説明する。図１は実施例に係るプリンタの概略構成図である。プリンタ１００は、イエロー、マゼンタ、シアン、ブラック（以下、Ｙ、Ｍ、Ｃ、Ｋと記す）のトナー像を生成するための４つのプロセスカートリッジ６Ｙ，６Ｍ，６Ｃ，６Ｋを備えている。これらは、画像形成物質として、互いに異なる色のＹ，Ｍ，Ｃ，Ｋトナーを用いるが、それ以外は同様の構成になっており、寿命到達時に交換される。
【００２９】
Ｙトナー像を生成するためのプロセスカートリッジ６Ｙを例に説明する。図２はイエローのプロセスカートリッジを示す概略断面図である。プロセスカートリッジ６Ｙは、図２に示すようにドラム状の感光体１Ｙ、ドラムクリーニング装置２Ｙ、除電装置（不図示）、帯電装置４Ｙ、現像装置５Ｙ等を備えている。このプロセスカートリッジ６Ｙは、プリンタ１００本体に脱着可能であり、一度に消耗部品を交換できるようになっている。上記帯電装置４Ｙは、図示しない駆動手段によって図中時計回りに回転せしめられる感光体１Ｙの表面を一様に帯電せしめる。一様に帯電せしめられた感光体１Ｙの表面は、レーザ光Ｌによって露光走査されてＹ用の静電潜像を担持する。
【００３０】
このＹの静電潜像は、Ｙトナーを用いる現像装置５ＹによってＹトナー像に現像される。そして、中間転写ベルト８上に中間転写される。ドラムクリーニング装置２Ｙは、中間転写工程を経た後の感光体１Ｙ表面に残留したトナーを除去する。また除電装置は、クリーニング後の感光体１Ｙの残留電荷を除電する。この除電により、感光体１Ｙの表面が初期化されて次の画像形成に備えられる。他のプロセスカートリッジ６Ｍ，Ｃ，Ｋにおいても、同様にして感光体１Ｍ，１Ｃ，１Ｋ上にＭ，Ｃ，Ｋトナー像が形成され、中間転写ベルト８上に中間転写される。
【００３１】
先に示した図１においてプロセスカートリッジ６Ｙ，６Ｍ，６Ｃ，６Ｋの図中下方には露光装置７が配設されている。潜像形成手段たる露光装置７は、画像情報に基づいて発したレーザ光Ｌを、プロセスカートリッジ６Ｙ，６Ｍ，６Ｃ，６Ｋにおけるそれぞれの感光体に照射して露光する。この露光により、感光体１Ｙ，１Ｍ，１Ｃ，１Ｋ上にＹ，Ｍ，Ｃ，Ｋ用の静電潜像が形成される。なお露光装置７は、光源から発したレーザ光（Ｌ）を、モータによって回転駆動したポリゴンミラーで走査しながら、複数の光学レンズやミラーを介して感光体に照射するものである。露光装置７の図中下側には、紙収容カセット２６、これらに組み込まれた給紙ローラ２７、レジストローラ対２８など有する給紙手段が配設されている。紙収容カセット２６は、記録体たる転写紙Ｐが複数枚重ねて収納しており、それぞれの一番上の転写紙Ｐには給紙ローラ２７が当接している。
【００３２】
給紙ローラ２７が図示しない駆動手段によって図中反時計回りに回転せしめられると、一番上の転写紙Ｐがレジストローラ対２８のローラ間に向けて給紙される。レジストローラ対２８は、転写紙Ｐを挟み込むべく両ローラを回転駆動するが、挟み込んですぐに回転を一旦停止させる。そして、転写紙Ｐを適切なタイミングで後述の２次転写ニップに向けて送り出す。
【００３３】
係る構成の給紙手段においては、給紙ローラ２７と、タイミングローラ対たるレジストローラ対２８との組合せによって搬送手段が構成されている。この搬送手段は、転写紙Ｐを収容手段たる紙収容カセット２６から後述の２次転写ニップまで搬送するものである。プロセスカートリッジ６Ｙ，６Ｍ，６Ｃ，６Ｋの図中上方には、中間転写体たる中間転写ベルト８を張架しながら無端移動せしめる中間転写ユニット１５が配設されている。この中間転写ユニット１５は、中間転写ベルト８の他、４つの１次転写バイアスローラ９Ｙ，９Ｍ，９Ｃ，９Ｋ、クリーニング装置１０などを備えている。
【００３４】
また２次転写バックアップローラ１２、クリーニングバックアップローラ１３、テンションローラ１４なども備えている。中間転写ベルト８は、これら３つのローラに張架されながら、少なくとも何れか１つのローラの回転駆動によって図中反時計回りに無端移動せしめられる。１次転写バイアスローラ９Ｙ，９Ｍ，９Ｃ，９Ｋは、このように無端移動せしめられる中間転写ベルト８を感光体１Ｙ，１Ｍ，１Ｃ，１Ｋとの間に挟み込んでそれぞれ１次転写ニップを形成している。これらは中間転写ベルト８の裏面（ループ内周面）にトナーとは逆極性（例えばプラス）の転写バイアスを印加する方式のものである。
【００３５】
１次転写バイアスローラ９Ｙ，９Ｍ，９Ｃ，９Ｋを除くローラは、全て電気的に接地されている。中間転写ベルト８は、その無端移動に伴ってＹ，Ｍ，Ｃ，Ｋ用の１次転写ニップを順次通過していく過程で、感光体１Ｙ，１Ｍ，１Ｃ，１Ｋ上のＹ，Ｍ，Ｃ，Ｋトナー像が重ね合わせて１次転写される。これにより、中間転写ベルト８上に４色重ね合わせトナー像（以下、４色トナー像という）が形成される。上記２次転写バックアップローラ１２は、２次転写ローラ１９との間に中間転写ベルト８を挟み込んで２次転写ニップを形成している。中間転写ベルト８上に形成された４色トナー像は、この２次転写ニップで転写紙Ｐに転写される。
【００３６】
２次転写ニップを通過した後の中間転写ベルト８には、転写紙Ｐに転写されなかった転写残トナーが付着している。これは、クリーニング装置１０によってクリーニングされる。２次転写ニップにおいては、転写紙Ｐが互いに順方向に表面移動する中間転写ベルト８と２次転写ローラ１９との間に挟まれて、上記レジストローラ対２８側とは反対方向に搬送される。２次転写ニップから送り出された転写紙Ｐは、定着装置２０のローラ間を通過する際に熱と圧力とにより、表面に転写された４色トナー像が定着される。その後、転写紙Ｐは、排紙ローラ対２９のローラ間を経て機外へと排出される。プリンタ本体の上面には、スタック部３０が形成されており、上記排紙ローラ対２９によって機外に排出された転写紙Ｐは、このスタック部３０に順次スタックされる。
【００３７】
上記プロセスカートリッジ６Ｙ内の現像装置５Ｙの構成について説明する。現像装置５Ｙは、内部に磁界発生手段を備え、磁性粒子とトナーを含む二成分系現像剤を表面担持して搬送する現像剤担持体としての現像スリーブ５１Ｙと、現像スリーブ５１Ｙ上に担持されて搬送される現像剤の層厚を規制する現像剤規制部材としてのドクター５２Ｙとを備えている。
【００３８】
ドクター５２Ｙの現像剤搬送方向上流側には、感光体１Ｙと対向した現像領域に搬送されずにドクター５２Ｙで規制された現像剤を収容する現像剤収容部５３Ｙが形成されている。また、現像剤収容部５３Ｙに隣接し、トナーを収容するトナー収容部５４Ｙと、トナーを攪拌搬送するためのトナー搬送スクリュ５５Ｙとを備えている。
【００３９】
次に、この現像装置の動作について説明する。上記現像装置５Ｙにおいては、現像スリーブ５１Ｙ上に現像剤層を形成する。現像剤にはキャリアとトナーが含まれており、トナーは現像剤が所定のトナー濃度範囲内になるように取り込まれる。トナーはトナー搬送装置４０Ｙのトナー搬送パイプ４３Ｙを通し、トナー補給部５８Ｙよりトナー収容部５４Ｙに補給される。その後トナー搬送スクリュ５５Ｙにより攪拌され現像剤中に取り込まれ、キャリアとの摩擦帯電により帯電される。帯電したトナーを含む現像剤は、内部に磁極を有する現像スリーブ５１Ｙの表面に供給され、磁力により担持される。現像スリーブ５１Ｙに担持された現像剤層は、現像スリーブ５１Ｙの回転に伴い矢印方向に搬送される。途中、ドクター５２Ｙで現像剤層の層厚を規制されたのち、感光体１Ｙと対向する現像領域まで搬送される。現像領域では、感光体１Ｙ上に形成された潜像に基づく現像が行われる。現像スリーブ５１Ｙ上に残った現像剤層は現像スリーブ５１Ｙの回転に伴い現像剤収容部５３Ｙの現像剤搬送方向上流部分に搬送される。なお現像装置５Ｙのトナー補給部５８Ｙには、プロセスカートリッジ６Ｙをプリンタ１００本体から取り出した際に現像剤の漏れを防止するシャッタ（不図示）及びシール（不図示）が設けられている。
【００４０】
先に示した図１において、中間転写ユニット１５と、これよりも上方にあるスタック部３０との間には、ボトル収容器３１が配設されている。このボトル収容器３１は、Ｙ，Ｍ，Ｃ，Ｋトナーを内包するトナーボトル３２Ｙ，３２Ｍ，３２Ｃ，３２Ｋを収容している。トナーボトル３２Ｙ，３２Ｍ，３２Ｃ，３２Ｋは、ボトル収容器３１上にトナー各色毎に上から置くようにして設置する。トナーボトル３２Ｙ，３２Ｍ，３２Ｃ，３２Ｋ内のＹ，Ｍ，Ｃ，Ｋトナーは、それぞれ後述するトナー搬送装置により、プロセスカートリッジ６Ｙ，６Ｍ，６Ｃ，６Ｋの現像装置に適宜補給される。これらのトナーボトル３２Ｙ，３２Ｍ，３２Ｃ，３２Ｋは、プロセスカートリッジ６Ｙ，６Ｍ，６Ｃ，６Ｋとは独立してプリンタ１００本体に脱着可能である。
【００４１】
図３はイエローのトナーボトルの斜視図、図４はボトル収容器に黒トナーボトルを載置する状態の斜視図である。図３に示すように、トナーボトル３２Ｙは、ボトル本体３３Ｙの先端部に樹脂ケース３４Ｙが設けられている。また、この樹脂ケース３４Ｙには把手３５Ｙが一体で形成されている。また、ボトル本体３３Ｙの樹脂ケース３４Ｙ側には、ボトル本体３３Ｙと一体で回転するギヤ３７Ｙが設けられている。トナーボトル３２Ｙをプリンタ１００本体に取り付ける場合は、まずスタック部３０を上方に開放してボトル収容器３１を露出させる。
【００４２】
そして、図４に示すように、トナーボトル３２Ｙをボトル収容器３１上に載置した後、上記把手３５Ｙを回転させる。すると把手３５Ｙと一体に構成された樹脂ケース３４Ｙが回転して、シャッタ３６Ｙが樹脂ケース３４Ｙの周方向に移動して開いてトナー排出口（不図示）が開放されると同時に、樹脂ケース３４Ｙとボトル収容器３１とが連結し固定される。一方、トナーボトル３２Ｙをプリンタ１００本体から取り外すには、把手３５Ｙを逆方向に回転させることで、樹脂ケース３４Ｙとボトル収容器３１との連結が解除され、同時にシャッタ３６Ｙが閉じてトナー排出口が閉鎖される。そして、そのまま把手３５Ｙを掴んだ状態でトナーボトル３２Ｙをプリンタ１００本体から取り出すことができる。
【００４３】
このように、トナーボトル３２Ｙをプリンタ１００本体の上側から載置して脱着できるので、トナーボトル３２Ｙの交換作業が判り易く、しかも簡単に行うことができる。また、樹脂ケース３４Ｙには把手３５Ｙが形成されているので、樹脂ケース３４Ｙを回転してボトル収容器３１への固定が容易に行える。なお、トナーボトル３２Ｙをプリンタ１００本体から取り外した状態では、樹脂ケース３４Ｙの把手３５Ｙを回転させても、シャッタ３６Ｙは開かないようになっている。これにより、トナーボトル３２Ｙの交換作業の際に誤ってシャッタ３６Ｙが開いてしまい、内部のトナーがこぼれるのを防止することができる。
【００４４】
次に、トナー搬送装置について説明する。まず搬送コイル方式に関して述べる。図５はトナーボトルとトナー搬送装置とを示す斜視図、図６は別の角度から見たトナーボトルと中間転写ユニットとトナー搬送装置とを示す斜視図である。このトナー搬送装置４０Ｙ，４０Ｍ，４０Ｃ，４０Ｋは、中間転写ユニット１５の側方であって、プリンタ１００本体に設けられている。このため、プロセスカートリッジ６Ｙ，６Ｍ，６Ｃ，６Ｋもしくはトナーボトル３２Ｙ，３２Ｍ，３２Ｃ，３２Ｋにトナー搬送装置を設けなくてよいため、従来に比べてプロセスカートリッジ６Ｙ，６Ｍ，６Ｃ，６Ｋもしくはトナーボトル３２Ｙ，３２Ｍ，３２Ｃ，３２Ｋの小型化を図れる。
【００４５】
また、従来プロセスカートリッジとトナーボトルとを近接して配置していたので、設計上の制限があったが、この方式だとプロセスカートリッジとトナーボトルとを離れて配置することができる。よって、設計上の自由度が向上し、プリンタの小型化を図ることができる。また、トナーボトル３２Ｙ，３２Ｍ，３２Ｃ，３２Ｋの排出口と、トナー搬送装置４０Ｙ，４０Ｍ，４０Ｃ，４０Ｋと、現像装置５Ｙ，５Ｍ，５Ｃ，５Ｋのトナー収容部５４Ｙ，５４Ｍ，５４Ｃ，５４Ｋのトナー補給部５８Ｙとを中間転写ユニット１５の一端側の側方に配置している。よって、トナー搬送装置４０Ｙ，４０Ｍ，４０Ｃ，４０Ｋのトナー搬送経路を最短にすることができ、プリンタの小型化やトナー搬送中の詰まり防止を図ることができる。上記トナー搬送装置４０Ｙ，４０Ｍ，４０Ｃ，４０Ｋの構成は同一なので、Ｙトナー搬送用のトナー搬送装置４０Ｙについて説明する。
【００４６】
図５において、このトナー搬送装置４０Ｙは駆動モータ４１Ｙと、駆動ギヤ４２Ｙと、トナー搬送パイプ４３Ｙとから主に構成されている。トナー搬送パイプ４３Ｙの内部には図示しないコイルが内設されている。上記駆動ギヤ４２Ｙはトナーボトル３２Ｙのギヤ３７Ｙと噛み合っており、駆動モータ４１Ｙを回転させると、トナーボトル３２Ｙのギヤ３７と一体で回転するボトル本体３３Ｙが回転する。そして、図２に示す現像装置５Ｙの濃度検知センサ５６Ｙがトナー収容部５４Ｙでトナー濃度の不足を検知すると、制御部５７Ｙからの補給信号により、駆動モータ４１Ｙが回転する。図５において、ボトル本体３３Ｙの内壁内面には螺旋状の現像剤案内溝３８Ｙが形成されているため、回転により内部のトナーがボトル本体３３Ｙ奥側から先端の樹脂ケース３４Ｙ側に搬送される。そして、ボトル本体３３Ｙ内のトナーは樹脂ケース３４Ｙの排出口（不図示）からトナー搬送装置４０Ｙのトナー受け部（不図示）に落下する。
【００４７】
トナー受け部はトナー搬送パイプ４３Ｙにつながっており、駆動モータ４１Ｙを回転させると、ボトル本体３３Ｙが回転すると同時に、トナー搬送パイプ４３Ｙ内のコイル（不図示）が同時に回転する。このコイルの回転によりトナー受け部に落下したトナーは、トナー搬送パイプ４３Ｙ内を搬送されて、現像装置５Ｙのトナー収容部５４Ｙのトナー補給部５８Ｙ（不図示）に補給される。このようにして、現像装置５Ｙ内のトナー濃度を調整する。なお、上記濃度検知センサ５６Ｙに替えて、感光体１Ｙ上に基準画像を形成し、この基準画像の画素数を計測するための光センサもしくはＣＣＤカメラ等を設け、この計測結果に基づいてトナー補給を行ってもよい。
【００４８】
図７はイエロー現像装置とトナー搬送パイプを示す斜視図である。イエローの現像装置５Ｙのトナー補給部５８Ｙにトナー搬送パイプ４３Ｙが嵌合され、トナーが補給される。トナー搬送パイプ４３Ｙの先端部にはパイプシャッタ４４Ｙとパイプシャッタスプリング４５Ｙが設けられている。
【００４９】
次に粉体ポンプについて説明する。図８は粉体ポンプによるトナー補給装置概略断面図である。を示す公知の電子写真法による画像形成装置の現像装置７０により不図示の感光体にトナー像を形成する。現像装置７０には、その一部に粉体ポンプ８０を具備し、粉体ポンプ８０の作動により現像装置７０内にトナーが供給される。粉体ポンプ８０は、吸引型１軸偏芯スクリュポンプ（通称モーノポンプ）等を用いる。その構成は、金属などの剛性を持つ材料で偏芯したスクリュ形状につくられたロータ(不図示)、ゴム材料で内側が２条のスクリュ形状に成形され、固定設置されるステータ８２、これらを包み且つ粉体の移送路を形成する樹脂材料などで成形されたハウジング８３よりなる。ロータの回転によりポンプに強い自吸力（吸引圧）が生じ，トナー収納容器９３からトナーを吸引することが可能となる。
【００５０】
本トナー供給装置の駆動、制御は、従来公知の現像剤濃度検知・制御方式を用いている。これは現像装置の一部に設けられた不図示の透磁率検出器に基づき現像装置内のトナーとキャリアの混合比の変化を検知し、トナー量が少ないと検知されると粉体ポンプの駆動軸８１が回転駆動し粉体ポンプ８０が作動する。粉体ポンプにより現像装置内に移送されてきたトナーがある一定量以上となると透磁率検出器の信号にて駆動を遮断し粉体ポンプの作動を停止する。
【００５１】
これ以外の方法として感光体上のトナー像の反射濃度を検知し同様のトナー補給量を制御する方法等、従来周知の技術を転用することも可能である。トナー移送部材であるチューブ９４は、内径φ４〜１０のチューブ状で、フレキシブルで且つ耐トナー性に優れたゴム材料（exポリウレタン、ニトリル、ＥＰＤＭ、シリコン等）やプラスチック材料（ポリエチレン、ナイロン等）を用いることが非常に有効である。吸引されたトナーは、現像装置７０の一部に設けられたトナー導入孔７１より、現像装置内に落下し、さらに不図示の攪拌スクリュにより現像部に移送される。
【００５２】
２成分現像方式を用いた場合は、この移送行程中に補給されたトナー（吸引されたトナー）は現像装置内の現像剤と攪拌混合され、均一な剤濃度と適正な帯電量となる。粉体ポンプ８０によりトナーを吸引搬送するためには，トナー吸引部９５付近にトナーが常に存在していることが条件となるため，トナー収納容器９３は，内部にコイルスプリングを具備している形態や，収納容器の内壁に螺旋状の突起を有し，収納容器自身の回転によりトナーを容器先端へと搬送する形態などが考えられる。
【００５３】
以下、前記粉体ポンプ８０を使用した画像形成装置について説明する。図９は粉体ポンプを使用した画像形成装置を示す概略断面図である。図１に示した部品（ユニット）については同じ符号を附している。使用頻度の高い黒のトナーボトル３２Ｋの外径を大きくし、トナー充填量を多くして、設置可能な左側のスペースに配置している。その際、レイアウトの自由度が高い粉体ポンプを採用し、トナー搬送パイプ４３Ｋをフレキシブルなパイプにして、距離が離れている黒のプロセスカートリッジ６Ｋ（黒の現像装置５Ｋ）にトナー送り込むこととした。また、他のカラーのトナーボトル３２Ｙ、３２Ｍ、３２Ｃに関しては、低コストの搬送コイル方式又は搬送スクリュ方式で各々対応するプロセスカートリッジ６Ｙ、６Ｍ、６Ｃ（現像装置５Ｙ、５Ｍ、５Ｃ）にトナーを送り込むこととした。
【００５４】
次に搬送スクリュ方式と搬送コイル方式とについて説明する。図１０（ａ）は搬送に使用するコイルを示す模式図、（ｂ）はスクリュを示す模式図である。図１０（ａ）に示すようにトナーの搬送に使用するコイル１１０は、図１０（ａ）に示すように、金属線１１１をコイル状に巻いたものである。また、スクリュ１２０は回転軸となる管１２１の周囲に螺旋状に羽部材１２２を配置して構成されている。
【００５５】
以上の構成より必要最低限のコストアップと機械サイズアップで要望に対応することができた。なお、カラーのトナー搬送パイプ４３Ｙ、４３Ｍ、４３Ｃに関しては、搬送スクリュ方式を採用するのであれば直線的に配置しなければならないので、若干のレイアウト規制が発生する。また、搬送コイル方式を採用するのであれば若干の曲線になっても問題がないので、ややレイアウトに自由度が持てる。但し、トナー補給制御を細かくできる順序は、粉体ポンプ方式、搬送スクリュ方式、搬送コイル方式の順となるので、トナー補給方式を決める際には注意を要する。
【００５６】
このように、各々のトナー補給方式にはそれぞれメリット、デメリットがあるので、組み合わせて使用することによって、様々な要望に対応することが可能になる。
【００５７】
以上説明したように、トナー補給装置として各色のトナーに最適な方式の補給装置を採用することにより、必要な機能は満足しつつ、小型、軽量、低コストを達成できるトナー補給装置を提供することができる。即ち、本発明では、トナー補給方式として搬送コイル方式、搬送スクリュ方式、粉体ポンプ方式を混在させ、有利な点を組み合わせることによって様々な要望に対応することが可能となる。また必要な部分のみレイアウトフリーな方式や高コスト方式を採用すればよいことになるので、機械の大きさを押さえられ、且つコストも押さえられるという効果も得ることができる。よって、本発明では、複数のトナー補給方式を組み合わせることによって必要な機能は満足しつつ、小型、軽量、低コストを達成できるトナー補給装置を提供することができる。
【００５８】
また、画像形成装置に上述した補給装置を採用することにより、必要な機能は満足しつつ、小型、軽量、低コストを達成できる画像形成装置を提供することができる。即ち、トナー補給方式として搬送コイル方式、搬送スクリュ方式、粉体ポンプ方式を混在させ、有利な点を組み合わせることによって様々な要望に対応することが可能となる。また必要な部分のみレイアウトフリーな方式や高コスト方式を採用すればよいことになるので、機械の大きさを押さえられ、且つコストも押さえられるという効果も得ることができる。よって以上より本発明では、複数のトナー補給方式を組み合わせることによって必要な機能は満足しつつ、小型、軽量、低コストを達成できる画像形成装置を提供することができる。
【００５９】
そして、本発明は、カラー画像形成装置に適用することが好適であり、必要な機能は満足しつつ、小型、軽量、低コストを達成できる。
【図面の簡単な説明】
【００６０】
【図１】実施例に係るプリンタの概略構成図である。
【図２】イエローのプロセスカートリッジを示す概略断面図である。
【図３】イエローのトナーボトルの斜視図である。
【図４】ボトル収容器に黒トナーボトルを載置する状態の斜視図である。
【図５】トナーボトルとトナー搬送装置とを示す斜視図である。
【図６】角度から見たトナーボトルと中間転写ユニットとトナー搬送装置とを示す斜視図である。
【図７】イエロー現像装置とトナー搬送パイプを示す斜視図である。
【図８】粉体ポンプによるトナー補給装置概略断面図である。
【図９】粉体ポンプを使用した画像形成装置を示す概略断面図である。
【図１０】（ａ）は搬送に使用するコイルを示す模式図、（ｂ）はスクリュを示す模式図である。
【符号の説明】
【００６１】
１Ｙ，１Ｍ，１Ｃ，１Ｋ  感光体
４Ｙ  帯電装置
５Ｙ，５Ｍ，５Ｃ，５Ｋ  現像装置
６Ｙ，６Ｍ，６Ｃ，６Ｋ  プロセスカートリッジ
７  露光装置
８  中間転写ベルト
９Ｙ，９Ｍ，９Ｃ，９Ｋ  １次転写バイアスローラ
１０  クリーニング装置
１２  ２次転写バックアップローラ
１３  クリーニングバックアップローラ
１４  テンションローラ
１５  中間転写ユニット
１９  ２次転写ローラ
２０  定着装置
２６  紙収容カセット
２７  給紙ローラ
２８  レジストローラ対
２９  排紙ローラ対
３０  スタック部
３１  ボトル収容器
３２Ｙ，３２Ｍ，３２Ｃ，３２Ｋ  トナーボトル
３３Ｙ  ボトル本体
３４Ｙ  樹脂ケース
３５Ｙ  把手
３６Ｙ  シャッタ
３７  ギヤ
３７Ｙ  ギヤ
３８Ｙ  現像剤案内溝
４０Ｙ，４０Ｍ，４０Ｃ，４０Ｋ  トナー搬送装置
４１Ｙ  駆動モータ
４２Ｙ  駆動ギヤ
４３Ｙ、４３Ｍ、４３Ｃ  トナー搬送パイプ
４４Ｙ  パイプシャッタ
４５Ｙ  パイプシャッタスプリング
５１Ｙ  現像スリーブ
５２Ｙ  ドクター
５３Ｙ  現像剤収容部
５４Ｙ，５４Ｍ，５４Ｃ，５４Ｋ  トナー収容部
５５Ｙ  トナー搬送スクリュ
５６Ｙ  濃度検知センサ
５７Ｙ  制御部
５８Ｙ  トナー補給部
７０  現像装置
７１  トナー導入孔
８０  粉体ポンプ
８１  駆動軸
８２  ステータ
８３  ハウジング
９３  トナー収納容器
９４  チューブ
９５  トナー吸引部
１００  プリンタ
【図１】
0005370713.tif 000002
【図２】
0005370713.tif 000003
【図３】
0005370713.tif 000004
【図４】
0005370713.tif 000005
【図５】
0005370713.tif 000006
【図６】
0005370713.tif 000007
【図７】
0005370713.tif 000008
【図８】
0005370713.tif 000009
【図９】
0005370713.tif 000010
【図１０】
0005370713.tif 000011